(57)【要約】照合装置（モバイル端末）（２）が、プロセッサと、予め設定された照合用ぼかし量を、前記登録画像に紐付けて予め記憶した記憶部とを備え、プロセッサは、被認証者を撮影部（１４）で撮影して得た顔画像を、その顔画像に対応する登録画像に紐付けられた照合用ぼかし量でぼかし、照合用ぼかし量でぼかした画像を使用して顔認証を行う構成とする。照合用ぼかし量は、被認証者の実物の顔を撮影して得た顔画像である実写画像をぼかしたときは認証可能となるが、被認証者の顔写真を撮影して得た顔画像である写真画像をぼかしたときは認証不能となるように設定する。
2019017079.tif 000002
【特許請求の範囲】
【請求項１】
被写体を撮像装置で撮影して得た撮像画像を、予め登録されている登録被写体の登録画像と照合する照合装置であって、
プロセッサと、
予め設定された照合用ぼかし量を、前記登録画像に紐付けて予め記憶した記憶部とを備え、
前記プロセッサは、
前記撮像画像を、その撮像画像に対応する前記登録画像に紐付けられた前記照合用ぼかし量でぼかし、
前記照合用ぼかし量でぼかした画像を使用して、該画像中の前記被写体が前記登録画像中の前記登録被写体と一致するか否かの照合を行うことを特徴とする照合装置。
【請求項２】
前記照合用ぼかし量は、前記被写体の実物を撮影して得た画像である実写画像をぼかしたときは照合可能となるが、前記被写体の写真を撮影して得た画像である写真画像をぼかしたときは照合不能となるように設定されていることを特徴とする請求項１に記載の照合装置。
【請求項３】
前記照合用ぼかし量は、前記実写画像及び前記写真画像を予め定められたぼかし量でぼかしては前記照合を行うことを繰り返すことにより求めたことを特徴とする請求項２に記載の照合装置。
【請求項４】
前記照合用ぼかし量は、前記実写画像及び前記写真画像をユーザにより指定されたぼかし量でぼかしては前記照合を行うことを繰り返すことにより求めたことを特徴とする請求項２に記載の照合装置。
【請求項５】
前記撮像画像は、平滑化フィルタをかけることによりぼかされ、
前記照合用ぼかし量は、前記平滑化フィルタをかける回数または前記平滑化フィルタのパラメータとして設定されることを特徴とする請求項１ないし４のいずれかに記載の照合装置。
【請求項６】
前記プロセッサは、前記照合を行うときの前記被写体の撮影が、前記照合用ぼかし量を設定するときに用いた焦点距離を使用して行われるように前記撮像装置を制御することを特徴とする請求項１ないし５のいずれかに記載の照合装置。
【請求項７】
前記被写体が、人物の顔であることを特徴とする請求項１ないし６のいずれかに記載の照合装置。
【請求項８】
被写体を撮像装置で撮影して得た撮像画像を、予め登録されている登録被写体の登録画像と照合する照合方法であって、
予め定められた照合用ぼかし量を、前記登録画像に紐付けて予め記憶しておくステップと、
前記撮像画像を、その撮像画像に対応する前記登録画像に紐付けられた前記照合用ぼかし量でぼかすステップと、
前記照合用ぼかし量でぼかした画像を使用して、該画像中の前記被写体が前記登録画像中の前記登録被写体と一致するか否かの照合を行うステップとを有することを特徴とする照合方法。
【発明の詳細な説明】
【技術分野】
【０００１】
本発明は、被写体を撮像装置で撮影して得た撮像画像を、予め登録されている登録被写体の登録画像と照合する照合装置及び照合方法に関する。
【背景技術】
【０００２】
従来、顔画像に基づいて個人を識別する顔認証技術が知られている。このような顔認証技術では、被認証者の顔を撮像装置で撮影して得た顔画像を、予め登録されている被認証者の顔画像と照合することにより、顔認証が行われる。例えば、スマートフォンなどのモバイル端末において、該端末の利用者の本人確認のための顔認証を行なう場合は、モバイル端末に搭載された撮像装置（カメラ）で被認証者の顔を撮影して得た顔画像を、モバイル端末または該端末と通信可能な認証サーバに予め登録されている登録画像（事前に撮影して得ておいた被認証者の顔画像）と照合することにより顔認証が行われる。【０００３】
しかし、このような顔認証技術では、顔写真を利用して顔写真の人物になりすまして不正に認証を取得しようとする「なりすまし」の問題がある。例えば、モバイル端末と該端末の利用者の身分証明証を不正に入手し、その身分証明証に付されている顔写真を撮像装置で撮影して得た顔画像を用いて、顔写真の人物になりすまして不正に認証を取得しようとすることが想定される。そのため、撮像装置で撮影して得た顔画像が、写真を撮影して得たものか、それとも人間を撮影して得たものであるかを識別することが求められている。【０００４】
そこで、撮影時に被認証者に対して瞬きや顔の向きの変更などの所定の動作を要求し、要求した動作の実施の有無に基づいて撮影対象が人間であることを確認する手法や、照明条件を変更して複数回撮影し、各回の撮影で得られた顔画像に生じた陰影を比較することにより、撮影対象が人間であることを確認する手法が提案されている（特許文献１参照）。
【先行技術文献】
【特許文献】
【０００５】
【特許文献１】特開平１１−３３９０４８号公報
【発明の概要】
【０００６】
しかしながら、上記の特許文献１の手法では、撮影時に被認証者に対して所定の動作を要求したり、照明条件を変更して複数回撮影したりする必要があるため、顔認証作業の利便性や簡便性が損なわれるという問題があった。
【０００７】
本開示は、このような従来技術の課題を鑑みて案出されたものであり、被写体を撮像装置で撮影して得た撮像画像を、予め登録されている登録被写体の登録画像と照合する技術において、写真を利用した不正を容易に防止することを可能とする照合装置及び照合方法を提供することを主目的とする。
【０００８】
本開示は、被写体を撮像装置で撮影して得た撮像画像を、予め登録されている登録被写体の登録画像と照合する照合装置であって、プロセッサと、予め設定された照合用ぼかし量を、前記登録画像に紐付けて予め記憶した記憶部とを備え、前記プロセッサは、前記撮像画像を、その撮像画像に対応する前記登録画像に紐付けられた前記照合用ぼかし量でぼかし、前記照合用ぼかし量でぼかした画像を使用して、該画像中の前記被写体が前記登録画像中の前記登録被写体と一致するか否かの照合を行うことを特徴とする。
【０００９】
本開示によれば、被写体を撮像装置で撮影して得た撮像画像を、予め登録されている登録被写体の登録画像と照合する照合技術において、写真を利用した不正を容易に防止することが可能となる。
【図面の簡単な説明】
【００１０】
【図１】図１は、本開示に係る照合装置を含む照合システムの概略図である。
【図２】図２は、モバイル端末の概略構成を示すブロック図である。
【図３】図３は、認証サーバの概略構成を示すブロック図である。
【図４】図４は、写真画像及び実写画像とその各画像をぼかした画像とを示す図である。
【図５】図５は、ぼかし量を求める方法を説明するためのフロー図である。
【図６】図６は、ぼかし量をユーザが手動で指定するときの指定画面を示す図であり、（ａ）は、ぼかす量を指定する前、（ｂ）は、ぼかし量を指定した後をそれぞれ示す図である。
【図７】図７は、本開示に係る照合装置での一連の処理について説明するためのフロー図である。
【発明を実施するための形態】
【００１１】
上記課題を解決するためになされた第１の発明は、被写体を撮像装置で撮影して得た撮像画像を、予め登録されている登録被写体の登録画像と照合する照合装置であって、プロセッサと、予め設定された照合用ぼかし量を、前記登録画像に紐付けて予め記憶した記憶部とを備え、前記プロセッサは、前記撮像画像を、その撮像画像に対応する前記登録画像に紐付けられた前記照合用ぼかし量でぼかし、前記照合用ぼかし量でぼかした画像を使用して、該画像中の前記被写体が前記登録画像中の前記登録被写体と一致するか否かの照合を行うことを特徴とする。
【００１２】
この第１の発明に係る照合装置によれば、照合を行うときに、被写体を撮像装置で撮影して得た撮像画像を照合用ぼかし量でぼかすことにより、写真画像を排除することができる。これにより、写真を利用した不正を容易に防止することが可能となる。
【００１３】
また、第２の発明は、上記第１の発明において、前記照合用ぼかし量は、前記被写体の実物を撮影して得た画像である実写画像をぼかしたときは照合可能となるが、前記被写体の写真を撮影して得た画像である写真画像をぼかしたときは照合不能となるように設定されていることを特徴とする。
【００１４】
この第２の発明に係る照合装置によれば、照合を行うときに、実写画像と写真画像とを識別することが可能となる。これにより、写真画像の排除が容易となる。
【００１５】
また、第３の発明は、上記第２の発明において、前記照合用ぼかし量は、前記実写画像及び前記写真画像を予め定められたぼかし量でぼかしては前記照合を行うことを繰り返すことにより求めたことを特徴とする。
【００１６】
この第３の発明に係る照合装置によれば、適切な照合用ぼかし量を、試行錯誤により容易に求めることができる。
【００１７】
また、第４の発明は、上記第２の発明において、前記照合用ぼかし量は、前記実写画像及び前記写真画像をユーザにより指定されたぼかし量でぼかしては前記照合を行うことを繰り返すことにより求めたことを特徴とする。
【００１８】
この第４の発明に係る照合装置によれば、適切な照合用ぼかし量を、ユーザが感覚的に設定することが可能となる。
【００１９】
また、第５の発明は、上記第１の発明ないし第４の発明のいずれかにおいて、前記撮像画像は、平滑化フィルタをかけることによりぼかされ、前記照合用ぼかし量は、前記平滑化フィルタをかける回数または前記平滑化フィルタのパラメータとして設定されることを特徴とする。
【００２０】
この第５の発明に係る照合装置によれば、撮像画像をぼかす処理及び照合用ぼかし量の設定を定量的に行うことができる。したがって、照合時に撮像画像をぼかす処理において、照合用ぼかし量を確実に再現することが可能となる。
【００２１】
また、第６の発明は、上記第１の発明ないし第５の発明のいずれかにおいて、前記プロセッサは、前記照合を行うときの前記被写体の撮影が、前記照合用ぼかし量を設定するときに用いた焦点距離を使用して行われるように前記撮像装置を制御することを特徴とする。
【００２２】
この第６の発明に係る照合装置によれば、照合を行うときと、照合用ぼかし量を設定するときとで、焦点距離の差異に起因してぼかし量に誤差が生じるのを防止すことができる。したがって、照合の精度を向上させることが可能となる。
【００２３】
また、第７の発明は、上記第１の発明ないし第６の発明のいずれかにおいて、前記被写体が、人物の顔であることを特徴とする。
【００２４】
この第７の発明に係る照合装置によれば、人物の顔を照合することができる。したがって、身分証明証等に付されている顔写真を利用したなりすましを防止することが可能となる。
【００２５】
また、第８の発明は、被写体を撮像装置で撮影して得た撮像画像を、予め登録されている登録被写体の登録画像と照合する照合方法であって、予め定められた照合用ぼかし量を、前記登録画像に紐付けて予め記憶しておくステップと、前記撮像画像を、その撮像画像に対応する前記登録画像に紐付けられた前記照合用ぼかし量でぼかすステップと、前記照合用ぼかし量でぼかした画像を使用して、該画像中の前記被写体が前記登録画像中の前記登録被写体と一致するか否かの照合を行うステップとを有することを特徴とする。
【００２６】
この第８の発明に係る照合方法によれば、照合を行うときに、被写体を撮像装置で撮影して得た撮像画像を照合用ぼかし量でぼかすことにより、写真画像を排除することができる。これにより、写真を利用した不正を容易に防止することが可能となる。
【００２７】
以下、本開示の実施形態について、図面を参照しながら説明する。以下の実施形態では、被認証者の顔を撮影して得た顔画像を、予め登録されている登録画像（事前に撮影して得ておいた被認証者の顔画像）と照合することにより顔認証を行う場合について説明する。
【００２８】
図１は、本開示に係る照合装置を含む照合システム１の概略図である。図１に示すように、この照合システム１は、顔認証を要求する被認証者が所持するモバイル端末２と、モバイル端末２と連携して顔認証を行う認証サーバ３とを備えている。モバイル端末２は、本開示に係る照合装置に相当する。モバイル端末２と認証サーバ３とは、インターネットや専用回線などのネットワーク４を介して互いに接続されている。
【００２９】
モバイル端末２は、例えばスマートフォンやタブレット端末などであり、被認証者の顔を撮影するための撮影部１４を搭載している。また、モバイル端末２には、撮影部１４で撮影して得た顔画像（以降、「撮像画像」と称する）に基づいて顔認証を要求するための、認証要求用のアプリケーションプログラムがインストールされている。顔認証を実施するときは、この認証要求用のアプリケーションプログラムを起動して、被認証者が顔認証を求める操作を行うとともに、撮影部１４で被認証者の顔を撮影すると、モバイル端末２から認証サーバ３に認証要求及び撮像画像が送信され、認証サーバ３において顔認証に関する処理が実行される。
【００３０】
認証サーバ３は、一般的なコンピュータ装置であり、事前に撮影して得ておいた被認証者の顔画像（以降、「登録画像」と称する）を保管している。そして、認証サーバ３は、モバイル端末２から、認証要求及び撮像画像を受信したときに、受信した撮像画像を登録画像と照合して顔認証を行う。この照合は、顔の各部位（例えば、目、鼻、口）や輪郭などの特徴点に基づく従来公知の照合方法を用いて行うとよい。そして、その照合結果（すなわち、認証結果）をモバイル端末２に送信し、これにより、撮像画像に基づく顔認証が完了する。
【００３１】
図２は、モバイル端末２の概略構成を示すブロック図である。モバイル端末２は、公知のハードウェア構成を備えており、所定の制御プログラム（例えば認証要求プログラム）に基づき、モバイル端末２の各処理（例えば認証要求処理）を統括的に実行するプロセッサ１１、例えばＲＡＭ（Random Access Memory）であり、プロセッサ１１のワークエリア等として機能するメモリ１２、例えばＲＯＭ（Read Only Memory）やハードディスクなどのストレージ（記憶装置）であり、プロセッサ１１が実行する制御プログラムやぼかし量データベース（ＤＢ）などを格納する記憶部１３を有している。ぼかし量ＤＢには、後述する照合用ぼかし量が保存されている。
【００３２】
また、モバイル端末２は、被認証者の顔を撮影して顔画像（撮像画像）を生成する撮影部１４、顔認証を求める操作や、撮影部１４に撮影を実行させる操作などが被認証者により行われる操作部１５、撮像画像や認証結果の画面などが表示される表示部１６、ネットワーク４を介した通信を実行する通信部１７をさらに有している。撮影部１４は、例えばＣＭＯＳイメージセンサなどの固体撮像素子であり、焦点距離は固定されている。
【００３３】
図３は、認証サーバ３の概略構成を示すブロック図である。認証サーバ３は、公知のハードウェア構成を備えており、所定の制御プログラム（例えば顔認証プログラム）に基づき認証サーバ３の各処理（例えば顔認証処理）を統括的に実行するプロセッサ２１、例えばＲＡＭであり、プロセッサ２１のワークエリア等として機能するメモリ２２、例えばＲＯＭやハードディスクなどのストレージであり、プロセッサ２１が実行する制御プログラムや顔認証に使用される登録画像などを格納する記憶部２３、ネットワーク４を介した通信を実行する通信部２４を有している。
【００３４】
次に、ぼかし量ＤＢに保存される照合用ぼかし量（以降、単に「ぼかし量」と称する）と、それを求める方法について説明する。以降、被認証者の顔写真（プリントされた顔写真）を撮影して得た画像を「写真画像」と称し、被認証者の実物の顔を撮影して得た画像を「実写画像」と称する。本実施形態では、被認証者の顔写真として、運転免許証の写真を用いている。なお、被認証者の顔写真は、運転免許証の写真に限らず、パスポート、住基カード、学生証、その他の各種の身分証明書などに付されている顔写真を用いることができる。
【００３５】
図４は、写真画像及び実写画像とその各画像をぼかした画像とを示す図である。図４に示すように、そもそも、写真画像はぼけが生じやすい。モバイル端末２の撮影部１４（カメラ）は焦点距離が固定されているため、顔写真を撮影部１４で撮影するときは、顔写真に撮影部１４を近づけて撮影することとなる。そのため、被写体である顔写真にピントが合わなくなり、写真画像にぼけが生じる。
【００３６】
したがって、実写画像をぼかしたときは認証可能となるが、写真画像をぼかしたときは認証不能となるようなぼかし量を試行錯誤や実験などによって予め求めておけば、顔認証を行うときに、モバイル端末２の撮影部１４で撮影して得た顔画像を予め求めておいたぼかし量でぼかすことにより、実写画像と写真画像とを識別することが可能となる。実写画像は認証可能となるが、写真画像は認証不能となるからである。求めたぼかし量は、登録画像に紐付けて、ぼかし量ＤＢに保存しておく。
【００３７】
顔画像のぼかしは、ガウシアンフィルタをかけることにより行うとよい。したがって、ぼかし量は、フィルタをかけた回数となる。なお、顔画像をぼかす方法は、ガウシアンフィルタに限定されるものではなく、平滑化フィルタであればどのようなものでも構わない。平滑化フィルタの例としては、メディアンフィルタやバイラテラルフィルタなどが挙げられる。また、ぼかし量は、フィルタをかける回数ではなく、フィルタのパラメータであってもよい。例えば、ガウシアンフィルタの場合は、そのパラメータである標準偏差σを変更することにより、ぼかし量を変更することができる。
【００３８】
次に、上述したぼかし量を求める方法について、図５のフロー図を参照して説明する。以下の処理は、モバイル端末２で行ってもよいし、認証サーバ３と通信可能な他の端末装置で行ってもよい。他の端末装置を使用する場合は、実際の顔認証時の撮影条件と同一になるように、モバイル端末２の撮影部１４と同一の撮像能力を有する撮像装置を使用することが好ましい。
【００３９】
まず、被認証者の顔写真を撮影する（ステップＳＴ１０１）。続いて、顔写真を撮影することにより得た写真画像を認証サーバ３に送信し、認証サーバ３で登録画像と照合して顔認証を行う（ステップＳＴ１０２）。そして、認証サーバ３から認証結果を受信し、その認証結果において、本人と認証された場合（ステップＳＴ１０３：Ｙｅｓ）は、ステップＳＴ１０４に進み、本人と認証されなかった場合（ステップＳＴ１０３：Ｎｏ）は、ステップＳＴ１０５に進む。
【００４０】
ステップＳＴ１０４では、写真画像に、標準偏差σのガウシアンフィルタをかけてぼかす。ステップＳＴ１０４の後は、先のステップＳＴ１０２に戻る。そして、ステップＳＴ１０２において、ぼかした写真画像を登録画像と再度照合して顔認証を行う。そして、本人と認証された場合（ステップＳＴ１０３：Ｙｅｓ）はステップＳＴ１０４に進み、本人と認証されなかった場合（ステップＳＴ１０３：Ｎｏ）はステップＳＴ１０５に進む。このように、ステップＳＴ１０３以降は、ステップＳＴ１０４に再度進んで、ぼかした写真画像を再度ぼかす処理が繰り返される場合がある。そのため、ステップＳＴ１０４で写真画像にガウシアンフィルタをかけた回数を記憶しておく。
【００４１】
ステップＳＴ１０５では、被認証者の実物の顔を撮影する。続いて、写真画像をぼかしたときと同じ回数だけガウシアンフィルタをかけて、実写画像をぼかす（ステップＳＴ１０６）。上述したように、写真画像にガウシアンフィルタをかけた回数は記憶されている。
【００４２】
次に、ぼかした実写画像を認証サーバ３に送信し、認証サーバ３で登録画像と照合して顔認証を行う（ステップＳＴ１０７）。そして、認証サーバ３から認証結果を受信し、その認証結果において、本人と認証された場合（ステップＳＴ１０８：Ｙｅｓ）は、ステップＳＴ１０１０に進み、本人と認証されなかった場合（ステップＳＴ１０８：Ｎｏ）は、ステップＳＴ１０９に進む。
【００４３】
ステップＳＴ１０９では、写真画像をぼかす量を所定量減らす。具体的には、ガウシアンフィルタを１回かけることにより得られるぼかし量をぼかし量αとして、そのぼかし量αよりも小さい量のぼかし量β（０≦β≦α）だけ、写真画像をぼかす量を減らす。これにより、写真画像をぼかす量を微細に調節することが可能となる。ステップＳＴ１０９の後は、ステップＳＴ１０２に戻る。
【００４４】
このように、ステップＳＴ１０８以降は、ステップＳＴ１１０に再度進んで、写真画像をぼかす量をぼかし量βだけ減らす処理が繰り返される場合がある。そのため、ステップＳＴ１０９において減らした量の総和を記憶しておく。減らした量の総和は、ぼかし量βにステップＳＴ１０９を実施した回数を乗算した値となる。
【００４５】
ステップＳＴ１１０では、写真画像にガウシアンフィルタをかけた回数を、ぼかし量として、登録画像に紐付けてぼかし量ＤＢに保存する。また、ステップＳＴ１０９が実施された場合は、写真画像にガウシアンフィルタをかけた回数に相当するぼかし量（ガウシアンフィルタを１回かけることにより得られるぼかし量αにステップＳＴ１０４を実施した回数を乗算した値）から、ステップＳＴ１０９において減らした量の総和（ぼかし量βにステップＳＴ１０９を実施した回数を乗算した値）を減算した量を、ぼかし量としてぼかし量ＤＢに保存する。
【００４６】
このようにして、実写画像をぼかしたときは認証可能となるが、写真画像をぼかしたときは認証不能となるようなぼかし量を求めることができる。
【００４７】
また、ステップＳＴ１０４において、写真画像にガウシアンフィルタをかけてぼかすときのぼかし量は、ユーザが手動で指定するようにしてもよい。この場合は、図６（ａ）に示すように、ディスプレイに指定画面を表示し、その指定画面を介して、ユーザがぼかし量を指定する。指定画面には、写真画像、実写画像、及びぼかし量を指定するためのスライダーバー３０が表示される。また、指定画面には、ユーザフレンドリのために、「写真画像では照合が失敗するように、ぼかしてください。ぼかす量は、実写画像では照合が成功する程度の量にしてください。」という文字が表示される。
【００４８】
図６（ｂ）に示すように、ユーザが、指定画面のスライダーバー３０を操作して、任意のぼかし量を指定すると、その指定されたぼかし量で写真画像及び実写画像をぼかした画像が表示される。これにより、ユーザは、ぼかした後の写真画像及び実写画像を視認することができるので、その視認結果に基づいてぼかし量を感覚的に指定することが可能となる。その後、ユーザは、スライダーバー３０を操作してぼかし量の微調整を繰り返して、所望のぼかし量を決定する。そして、所望のぼかし量を決定した後、例えば図示しない照合ボタンを押すなどの所定の操作を行うことにより、ステップＳＴ１０５に進むようにする。このようにして、ぼかし量を、ユーザが感覚的に設定することが可能となる。
【００４９】
次に、本開示に係る照合装置（モバイル端末）２での一連の処理について、図７のフロー図を参照して説明する。
【００５０】
まず、モバイル端末２の撮影部１４で被認証者の実物の顔または顔写真を撮影して、被認証者の顔画像（撮像画像）を取得する（ステップＳＴ２０１）。続いて、取得した顔画像から顔領域を抽出する（ステップＳＴ２０２）。これは、顔の各部位（例えば、目、鼻、口）や輪郭などの特徴点に基づく従来公知の顔領域抽出方法を用いて行うとよい。
【００５１】
次に、顔画像に対応する登録画像に紐付けられているぼかし量で顔画像をぼかす（ステップＳＴ２０３）。上述したように、ぼかし量は、モバイル端末２の記憶部１３に格納されているぼかし量ＤＢに、登録画像に紐付けて保存されている。顔画像に対応する登録画像の識別は、被認証者の顔画像（撮像画像）を認証サーバ３に送信し、認証サーバ３に保管されている登録画像データと照合することにより行うとよい。または、予め登録したＩＤやパスワードなどを使用して、顔画像に対応する登録画像を識別するようにしてもよい。
【００５２】
そして、ぼかし量でぼかした顔画像を認証サーバ３に送信し、認証サーバ３で登録画像と照合して顔認証を行う（ステップＳＴ２０４）。上述したように、ぼかし量は、実写画像は認証可能となるが、写真画像は認証不能となるように設定されているので、顔画像（撮像画像）が写真画像である場合は、認証を取得できない。
【００５３】
以上のように、本開示に係る照合装置（モバイル端末）２によれば、顔認証を行うときに、撮影部１４で撮影して得た顔画像（撮像画像）を予め求めておいたぼかし量（照合用ぼかし量）でぼかすことにより、実写画像と写真画像とを識別することができる。これにより、顔写真を利用したなりすましを、簡単かつ容易に防止することが可能となる。
【００５４】
以上、本開示を特定の実施形態に基づいて説明したが、これらの実施形態はあくまでも例示であって、本開示はこれらの実施形態によって限定されるものではない。また、上記実施形態に示した本開示に係る照合装置及び照合方法の各構成要素は、必ずしも全てが必須ではなく、少なくとも本開示の範囲を逸脱しない限りにおいて適宜取捨選択することが可能である。
【００５５】
例えば、本実施形態では、照合システム１を、モバイル端末２と認証サーバ３とから構成したが、認証サーバ３の機能をモバイル端末２内に組み込むように構成してもよい。この場合は、照合システム１は、モバイル端末２のみにより構成されることとなる。
【００５６】
また、本実施形態では、モバイル端末２における顔認証について説明したが、本開示に係る照合システム１は、例えばデスクトップ型のパーソナルコンピュータなどの非モバイル端末における顔認証や、入出ゲートで電気鍵または自動ドアの解錠を行うセキュリティシステムにおける顔認証などの様々な用途に適用可能である。
【００５７】
また、本実施形態では、撮影部１４として焦点距離が固定されたものを例として説明したが、これに限られるものではない。撮影部１４として焦点距離が可変のものを使用してもよい。ただし、焦点距離が可変の場合、照合時に撮像画像を照合用ぼかし量でぼかすことができなくなる。そこで、焦点距離が可変の撮影部１４を使用する場合は、照合用ぼかし量を設定するときに用いた焦点距離と同じ焦点距離を使用して被写体を撮影するように制御することが望ましい。
【００５８】
また、本実施形態では、顔画像を照合することによって認証する構成を例として説明したが、これに限られるものではない。認証は照合技術の応用の一つに過ぎず、例えば、特定の特徴を持つ人物を検索する場合など認証を想定していない照合を行うことも考えられるが、本実施形態はこのような場合にも適用することができる。また、照合の対象も人物の顔には限らない。被写体の写真を用いることで実際の被写体と混同させる不正行為を行うことができる他の被写体であってもよい。例えば、ブランド品や貴金属を遠隔で鑑定する場合などにも本実施形態を応用することができる。
【産業上の利用可能性】
【００５９】
本開示に係る照合装置及び照合方法は、被写体を撮像装置で撮影して得た撮像画像を、予め登録されている登録被写体の登録画像と照合する照合技術において、写真を利用した不正を容易に防止することを可能とする照合装置及び照合方法等として有用である。
【符号の説明】
【００６０】
１    照合システム
２    モバイル端末（照合装置）
３    認証サーバ
４    ネットワーク
１１  プロセッサ
１２  メモリ
１３  記憶部
１４  撮影部
１５  操作部
１６  表示部
１７  通信部
【図１】
2019017079.tif 000003
【図２】
2019017079.tif 000004
【図３】
2019017079.tif 000005
【図４】
2019017079.tif 000006
【図５】
2019017079.tif 000007
【図６】
2019017079.tif 000008
【図７】
2019017079.tif 000009
【国際調査報告】
2019017079.tif 000010
2019017079.tif 000011